(57)【要約】      （修正有）【課題】構成が簡潔であり、製作しやすく、見栄えが良いだけではなく、様々な形状及び大きさの度付きメガネに適用することができ、他方では、クリップオン眼鏡の外観を消費者の好みに応じて自由に形成することのできるゴグルレンズを用いたクリップオン眼鏡を提供する。【解決手段】度付きメガネ１に着脱されるクリップオン眼鏡のレンズを眼鏡フレームのない左右一体型ゴグルレンズ１０を用いて形成し、前記ゴグルレンズ１０の両側には固定具２０を取り付けるが、固定具２０の側面には度付きメガネ１の側面に支持される係止片を形成するとともに、固定具２０の上側には度付きメガネ１の上側に載置される受止片を形成して、ゴグルレンズ１０自体の弾性力により度付きメガネ１にゴグルレンズ１０が取り付けられるクリップオン眼鏡を構成する。【選択図】図３
0003202202.tif 000002
【実用新案登録請求の範囲】
【請求項１】
度付きメガネ（１）に着脱されるクリップオン眼鏡において、
前記クリップオン眼鏡のレンズは、眼鏡フレームのない左右一体型ゴグルレンズ（１０）を用いて形成するが、度付きメガネ（１）に比べて高曲率及び高弾性を有する合成樹脂を用いて形成し、
前記ゴグルレンズ（１０）の両側には固定具（２０）を取り付けるが、固定具（２０）の側面には度付きメガネ（１）の側面に支持される係止片（２１）を形成し、固定具（２０）の上側には度付きメガネ（１）の上側に載置される受止片（２２）を形成し、
前記ゴグルレンズ（１０）に貫通孔（１５）を形成するとともに、固定具（２０）には係合孔（２５）を形成して係合ねじ（３０）及びナット（３５）を用いて固定具（２０）をゴグルレンズ（１０）に取り付けるが、前記貫通孔（１５）または係合孔（２５）を長方形に形成して固定具（２０）の位置を調節することにより、
度付きメガネ（１）の両側面に固定具（２０）の係止片（２１）が支持されるようにゴグルレンズ（１０）を拡開して、ゴグルレンズ（１０）自体の弾性力により度付きメガネ（１）にゴグルレンズ（１０）が取り付けられるとともに、形状及び大きさが異なる度付きメガネ（１）にも適用可能であることを特徴とするゴグルレンズを用いたクリップオン眼鏡。
【請求項２】
前記固定具（２０）は金属製であるが、度付きメガネ（１）と接触する固定具（２０）の係止片（２１）および受止片（２２）に軟性樹脂をコーティングすることを特徴とする請求項１に記載のゴグルレンズを用いたクリップオン眼鏡。
【考案の詳細な説明】
【技術分野】
【０００１】
本考案は、ゴグルレンズを用いたクリップオン眼鏡（前掛け式眼鏡）に係り、特に、磁石やばねを用いた従来のクリップオン眼鏡とは異なり、左右一体型ゴグルレンズの自体弾性力を用いてクリップオン眼鏡を構成することにより、その構成が簡潔であり、製作しやすく、見栄えが良いだけではなく、取り付けられる通常の眼鏡の大きさ及び形状とは無関係に自由に使用することのできるゴグルレンズを用いたクリップオン眼鏡に関する。
【背景技術】
【０００２】
一般に、度付きメガネを着用する低視力者の場合、通常使用する視力校正用眼鏡に加えて、車両を運転するときや野外において強い紫外線を遮断するために自分の視力に合う別途の度付きサングラスを備えなければならないという不都合があり、このような問題を解消するために、通常の眼鏡にサングラスレンズを脱着するクリップオン眼鏡が提案されて用いられている。
【０００３】
一方、前記従来提案されていたクリップオン眼鏡は、通常の眼鏡に取り付けて使用するに当たって、無断で離脱されないように磁石やばねなどを用いた締付手段を共通的に備えるが、以下、従来のクリップオン眼鏡の概略的な構成を図１及び図２を参照して説明する。
【０００４】
まず、図１を参照して磁石を用いたクリップオン眼鏡を構成について説明すれば、度付きメガネ１１０の眼鏡フレームおよびクリップオン眼鏡１２０の眼鏡フレームの両側端に一対の磁石１１５、１２５を分けて形成して度付きメガネ１１０にクリップオン眼鏡１２０を脱着できるようにした構成であり、上記の如き磁石を用いたクリップオン眼鏡１２０の場合、度付きメガネ１１０に手軽に脱着することができるというメリットがあるのに対し、クリップオン眼鏡１２０の互換性が全くないため他の通常の眼鏡に使用することができないだけではなく、磁石１１５付き専用の度付きメガネ１１０と同じ形状の眼鏡フレームを形成しなければならないためその大きさ及び形状にかなりの制限があるという問題があった。
【０００５】
また、図２を参照してばねを用いたクリップオン眼鏡の構成を説明すれば、クリップオン眼鏡２２０の左右側のレンズに形成された眼鏡フレームを繋ぎ合わせるばね部材２２５を形成して前記ばね部材２２５の収縮力によりクリップオン眼鏡２２０が度付きメガネ２１０から離脱することなく取り付けられるようにした構成であり、上記の如きばねを用いたクリップオン眼鏡２２０の場合に互換性が全くないわけではないが、前記ばね部材２２５がクリップオン眼鏡２２０の左右側のレンズに形成されるためには、前記クリップオン眼鏡２２０のレンズに眼鏡フレームが形成されざるを得ないため、実質的に同じ型番の度付きメガネ２１０を除いては使用し難いという問題があった。なお、ばね部材２２５若しくはばねが直接的に外部に露出されるクリップオン眼鏡の見栄えがよくなく、他方では、製作し難く、しかも、ばねなどの作動部が故障の原因となる場合もあった。
【考案の概要】
【考案が解決しようとする課題】
【０００６】
本考案は、上記の如き従来のクリップオン眼鏡の問題を解消するために案出されたものであり、磁石やばねなど別途の手段を用いることなく、左右一体型ゴグルレンズの自体弾性を用いたクリップオン眼鏡を構成することにより、クリップオン眼鏡の構成が簡潔であるため製作及び使用し易いだけではなく、故障がなく、クリップオン眼鏡の形状を自由に形成することができて消費者の様々な好みを満たすことのできるゴグルレンズを用いたクリップオン眼鏡を提供するところに本考案の目的がある。
【課題を解決するための手段】
【０００７】
上記の目的を達成するための本考案によるゴグルレンズを用いたクリップオン眼鏡は、左右一体型ゴグルレンズの両側に取り付けられる固定具を形成するが、前記固定具の側面には度付きメガネの側面に支持される係止片を形成し、固定具の上側には度付きメガネの上側に載置される受止片を形成して、前記ゴグルレンズ自体の弾性力により度付きメガネに取り付けられるようにした構成を有することを特徴とする。
【０００８】
また、本考案は、前記固定具をゴグルレンズに取り付けるに当たって、ゴグルレンズに貫通孔を形成するとともに、固定具には係合孔を形成して係合ねじ及び係合ナットを用いて固定具を取り付ける構成と、前記貫通孔または係合孔を長方形に形成した構成を有することを付加的な特徴とする。
【考案の効果】
【０００９】
上記の如き構成を有する本考案によれば、左右一体型ゴグルレンズの自体弾性力によりクリップオン眼鏡が度付きメガネに取り付けられるので、磁石やばねなど別途の手段を必要とせず、その構成が簡潔であるので、結果的にはクリップオン眼鏡が製作し易い他、故障の虞がないことはもとより、ゴグルレンズの弾性力によりクリップオン眼鏡が取り付けられるので、従来の磁石及びばねを用いたクリップオン眼鏡に比べてより安定的にクリップオン眼鏡を取り付けることができるという効果がある。
【００１０】
また、ばねなどの部品が外部に露出されないので、見栄えがよいだけではなく、眼鏡フレームなし左右一体型ゴグルレンズを用いるので、形状及び大きさが異なる様々な度付きメガネに適用することができ、他方では、クリップオン眼鏡の外観を消費者の好みに応じて自由に形成することができるという効果がある。
【図面の簡単な説明】
【００１１】
【図１】従来の磁石を用いたクリップオン眼鏡の斜視図である。
【図２】従来のばねを用いたクリップオン眼鏡の斜視図である。
【図３】本考案によるゴグルレンズを用いたクリップオン眼鏡の斜視図である。
【図４】本考案によるゴグルレンズを用いたクリップオン眼鏡の使用状態図である。
【図５】本考案によるクリップオン眼鏡の固定具を示す使用状態図である。
【図６】本考案によるクリップオン眼鏡の固定具を示す分解斜視図である。
【図７】本考案による固定具の他の実施形態を示す分解斜視図である。
【図８】本考案による固定具の他の実施形態を示す分解斜視図である。
【図９】本考案によるクリップオン眼鏡の作用状態図である。
【考案を実施するための形態】
【００１２】
以下、本考案の好適な実施形態によるゴグルレンズを用いたクリップオン眼鏡の構成を図３から図９を参照して詳細に説明する。
【００１３】
本考案によるクリップオン眼鏡は、度付きメガネ１に脱着されるものであり、前記クリップオン眼鏡のレンズは、図３に示すように、眼鏡フレームなし左右一体型ゴグルレンズ１０を用いて形成するが、前記ゴグルレンズ１０は、通常のゴグルのように、度付きメガネ１に比べてその高曲率および高弾性を有する合成樹脂を用いて形成する。
【００１４】
また、前記ゴグルレンズ１０の両側には固定具２０を取り付けるが、固定具２０の側面には度付きメガネ１の側面に支持される係止片２１を形成し、固定具２０の上側には度付きメガネ１の上側に載置される受止片２２を形成することにより、ゴグルレンズ１０自体の弾性力によりクリップオン眼鏡が度付きメガネ１に取り付けられる。
【００１５】
すなわち、図９に示すように、ゴグルレンズ１０は度付きメガネ１よりも高い曲率及び弾性を有するので、クリップオン眼鏡の取り付けに際して、度付きメガネ１の両側面に固定具２０の係止片２１が支持されるようにゴグルレンズ１０を拡開して手軽に取り付けることができるが、ゴグルレンズ１０の強い弾性力が係止片２１に伝わってゴグルレンズ１０及び度付きメガネ１を一層強固に係合させ、このとき、受止片２２はゴグルレンズ１０の位置を固定する役割を果たす。
【００１６】
一方、前記固定具２０は合成樹脂を用いて形成してゴグルレンズ１０に貼着してもよいが、同図に示すように、金属製または合成樹脂製の固定具２０を締め付けることが好ましいが、一実施形態として、図６に示すように、前記ゴグルレンズ１０に貫通孔１５を形成するとともに、固定具２０には係合孔２５を形成して係合ねじ３０及びナット３５を用いて固定具２０をゴグルレンズ１０に取り付けてもよく、付加的に、図７に示すように、貫通孔１５を長方形に形成したり、図８に示すように、係合孔２５を長方形に形成したりすることにより、固定具２０の位置を調節してもよい。
【００１７】
また、図示はしないが、前記ゴグルレンズ１０の貫通孔１５及び固定具２０の係合孔２５は一つのみ形成しても構わなく、様々な形状及び大きさの固定具２０を備えることにより互換性を極大化させることが好ましく、特に、前記固定具２０を金属を用いて形成するに当たっては、度付きメガネ１と接触する固定具２０の係止片２１及び受止片２２の部分に軟性樹脂をコーティングすることが好ましい。
【００１８】
以下、本考案によるゴグルレンズを用いたクリップオン眼鏡の作用について説明すれば、度付きメガネ１にクリップオン眼鏡を取り付けたり取り外したりする場合、ゴグルレンズ１０を拡開する動作だけで手軽にクリップオン眼鏡を脱着することができるが、左右一体型ゴグルレンズ１０の自体弾性力によりクリップオン眼鏡が度付きメガネ１に取り付けられるので、磁石やばねなど別途の手段を必要とせず、その構成が簡潔であるので、クリップオン眼鏡が製作し易い他、故障の虞がない。
【００１９】
また、ゴグルレンズ１０の強い弾性力によりクリップオン眼鏡が取り付けられるので、より安定的にクリップオン眼鏡を取り付けることができ、ばねなどの部品が外部に露出されないので、見栄えがよいだけではなく、眼鏡フレームがないので、形状及び大きさが異なる様々な度付きメガネ１に適用することができ、他方では、クリップオン眼鏡の外観を消費者の好みに応じて自由に形成することができる。
【符号の説明】
【００２０】
１：度付きメガネ
１０：ゴグルレンズ
１５：貫通孔
２０：固定具
２１：係止片
２２：受止片
２５：係合孔
３０：係合ねじ
３０：ナット
【図１】
0003202202.tif 000003
【図２】
0003202202.tif 000004
【図３】
0003202202.tif 000005
【図４】
0003202202.tif 000006
【図５】
0003202202.tif 000007
【図６】
0003202202.tif 000008
【図７】
0003202202.tif 000009
【図８】
0003202202.tif 000010
【図９】
0003202202.tif 000011